(57)【要約】【課題】剛性線材の一端と弾性線材の一端とが同一線上に位置し、剛性線材と弾性線材との間の力の伝達が均等となること。【解決手段】この発明は、剛性線材１と、弾性線材２と、接続部材３１、３２と、を備える。接続部材３１、３２は、剛性線材１の一端の中心線Ｏ１と弾性線材２の一端の中心線Ｏ２とが一致している状態で、剛性線材１の一端と弾性線材２の一端とを接続する．この結果、この発明は、剛性線材１の一端と弾性線材２の一端とが同一線Ｌ上に位置し、剛性線材１と弾性線材２との間の力の伝達が均等となる。【選択図】        図１
2018174877.tif 000002
【特許請求の範囲】
【請求項１】
剛性線材と、
弾性線材と、
前記剛性線材の一端の中心線と前記弾性線材の一端の中心線とが一致している状態で、前記剛性線材の一端と前記弾性線材の一端とを接続する接続部材と、
を備える、
こと特徴とする釣用天秤。
【請求項２】
前記剛性線材の一端および前記弾性線材の一端には、係合凸部がそれぞれ設けられていて、
前記接続部材の内部には、前記剛性線材の前記係合凸部および前記弾性線材の前記係合凸部がそれぞれ収納されている収納中空部が、設けられていて、
前記接続部材の両端には、前記剛性線材、前記弾性線材がそれぞれ挿通されている挿通孔が、１本の直線もしくはその近傍上に設けられていて、
前記収納中空部と２個の前記挿通孔との間には、前記剛性線材の前記係合凸部、前記弾性線材の前記係合凸部がそれぞれ係合する係合段差が設けられている、
ことを特徴とする請求項１に記載の釣用天秤。
【請求項３】
前記接続部材は、前記剛性線材側の第１接続部材と前記弾性線材側の第２接続部材とに２分割されていて、
前記第１接続部材、前記第２接続部材には、前記収納中空部、前記挿通孔および前記係合段差がそれぞれ設けられていて、
前記第１接続部材、前記第２接続部材には、前記第１接続部材、前記第２接続部材に前記剛性線材、前記弾性線材をそれぞれ装備した状態で、前記第１接続部材と前記第２接続部材とを相互に結合する結合部が、それぞれ設けられている、
ことを特徴とする請求項２に記載の釣用天秤。
【請求項４】
前記剛性線材および前記弾性線材は、断面円形もしくは円形の線材からなり、
前記剛性線材の直径は、前記弾性線材の直径よりも大きく、
前記第１接続部材の前記結合部は、断面円形もしくは円形の前記収納中空部の壁面により形成されている凹部から構成されていて、
前記第２接続部材の前記結合部は、断面円形もしくは円形の前記収納中空部を包囲する部分により形成されていて、前記凹部中に嵌入する凸部から構成されている、
ことを特徴とする請求項３に記載の釣用天秤。
【請求項５】
前記凹部の内側壁面には、雌ねじが設けられていて、
前記凸部の外側壁面には、前記雌ねじにねじ込まれる雄ねじが設けられている、
ことを特徴とする請求項４に記載の釣用天秤。
【請求項６】
前記剛性線材は、釣用天秤のグリップ部分とアーム部分とを形成し、
前記弾性線材は、前記釣用天秤の前記アーム部分を形成し、
前記剛性線材の前記釣用天秤の前記アーム部分における線長と前記弾性線材の前記釣用天秤の前記アーム部分における線長との比は、１：２である、
ことを特徴とする請求項１〜５に記載の釣用天秤。
【発明の詳細な説明】
【技術分野】
【０００１】
本発明は、魚釣用の道具である釣用天秤に関する。
【背景技術】
【０００２】
釣用天秤は、天秤のアーム部分が道糸（リールに巻かれている糸）と仕掛け（釣り糸および釣り針）との間隔を維持して、道糸と仕掛けとが絡み難くする釣具である。釣用天秤としては、たとえば、ステンレス鋼の線材からなるもの、あるいは、形状記憶合金の線材からなるものがある。
【０００３】
ステンレス鋼の線材からなる釣用天秤は、安価である。
また、ステンレス鋼の線材からなる釣用天秤は、反発力が強い（剛性が高い）ので、魚が針に掛かった場合には、強い反発力（クッション性）により魚の抵抗を吸収して、魚が掛かった釣り針から外れ難い。すなわち、魚は、釣り針に掛かると、釣り針を外そうと頭を左右に振って抵抗する。ここで、釣用天秤の反発力が弱いと、魚の抵抗を吸収できず、魚の釣り針が刺さった箇所の穴（傷穴）が広がり、釣り針のかえしが効かずに、魚が釣り針から外れてしまう。ところが、釣用天秤の反発力が強いと、魚の抵抗を吸収することができ、魚の釣り針が刺さった箇所の穴（傷穴）の広がりを防ぐことができ、釣り針のかえしが効き、魚が釣り針から外れるのを防ぐことができる。
さらに、ステンレス鋼の線材からなる釣用天秤は、反発力が強いので、水（海水）の抵抗で曲がり難い。このため、仕掛けを、たな（魚がいるところ）まで落とす際に、道糸と仕掛けとの間を適度な距離をもって離し易く、道糸と仕掛けとが絡み難くなる。
さらにまた、ステンレス鋼の線材からなる釣用天秤は、反発力が強いので、天秤のグリップ部分にはこしがあり、仕掛けを回収する際に天秤が持ち易くなる。
このように、ステンレス鋼の線材からなる釣用天秤は、強い反発力により、道糸と仕掛けとが絡み難くなり（天秤の本来の用途）、かつ、掛かった魚が外れ難くなる。
【０００４】
しかしながら、ステンレス鋼の線材からなる釣用天秤は、復元力が弱い（弾性が低い）ので、強い力をかけると曲がってしまい、くせが付いて元の状態に戻らない。このため、太い線材しか使用できない。たとえば、直径が１ｍｍ以下の線材を使用し、魚に引かれると、容易にくせが付いてしまい、元の状態に戻らない。また、線材が太ければ太いほど反発力が強く剛直になるので、釣り糸ないし釣り針が船の揺れによっていろいろな方向に移動し易く（上下左右に踊り易く）なり、魚に違和感を感じさせて、魚の食いが悪くなる。さらに、魚が釣り針をくわえた瞬間に引っ張る力が強く魚に違和感を感じさせるので、魚が釣り針を吐き出し易い。
このように、ステンレス鋼の線材からなる釣用天秤は、太い線材で反発力が強いので、魚の食いが悪くなる。
【０００５】
一方、形状記憶合金の線材からなる釣用天秤は、復元力が強い（弾性が高い）ので、細い線材を使用することができる。すなわち、細い線材を使用しても、ステンレス鋼の線材のように、魚が引いて曲がってもくせが付かない。形状記憶合金の線材からなる釣用天秤は、復元力が強くしなやかなので、釣り糸ないし釣り針が船の揺れによっていろいろな方向に移動し難くなり、魚に違和感を感じさせずに、魚の食いが良くなる。
このように、形状記憶合金の線材からなる釣用天秤は、細い線材で復元力が強くしなやかなので、魚の食いが良い。
【０００６】
しかしながら、形状記憶合金の線材からなる釣用天秤は、レアメタル合金なので、高価である。太い線材ほど材料を多く使うのでさらに高価となる。
また、形状記憶合金の線材からなる釣用天秤は、メリットを効かすため、細い線材を使用するので、反発力が弱い（剛性が低い）。このため、形状記憶合金の線材からなる釣用天秤は、ステンレス鋼の線材からなる釣用天秤とは逆に、反発力が弱く、魚が針に掛かった場合にはクッション性がなく、釣り竿のクッション性のみに頼ることとなる。これにより、魚の抵抗を吸収することができず、魚が掛かった釣り針から外れ易い。
さらに、形状記憶合金の線材からなる釣用天秤は、反発力が弱く水（海水）の抵抗で曲がり易く、仕掛けをたなまで落とす際に、道糸と仕掛けとの距離が近くなり、道糸と仕掛けとが絡み易くなる。たなが深場になればなるほど、重力加速度がつき水（海水）の抵抗が大きくなるのでさらに曲がり易くなる。
さらにまた、形状記憶合金の線材からなる釣用天秤は、反発力が弱いので、天秤のグリップ部分にはこしがなく、グリップ部がしなやか過ぎて、天秤のグリップ部が手に食いこみ難くなる。
このように、形状記憶合金の線材からなる釣用天秤は、反発力が弱くクッション性がないので、道糸と仕掛けとが絡み易く、掛かった魚が外れ易い。
【０００７】
そこで、特許文献１の魚釣り仕掛けが開発された。特許文献１の魚釣り仕掛けは、ステンレス鋼線材を曲げ加工した両天秤を備え、両天秤の左右の下部に短長の形状記憶合金線をそれぞれ接続してなるものである。なお、ステンレス鋼線材は太く、形状記憶合金線はステンレス鋼線材より細く形成されている。特許文献１の魚釣り仕掛けは、ステンレス鋼線材のデメリットと形状記憶合金線のデメリットとを解消して、ステンレス鋼線材のメリットと形状記憶合金線のメリットとを達成することができる。
【先行技術文献】
【特許文献】
【０００８】
【特許文献１】実用新案登録第３０６１９０９号公報
【発明の概要】
【発明が解決しようとする課題】
【０００９】
しかしながら、特許文献１の魚釣り仕掛けは、ステンレス鋼線材の両天秤の下部と短長の形状記憶合金線の上端部とに、金属またはプラスチックからなるスリーブをそれぞれ嵌めて覆い、これらを圧縮または接着して、ステンレス鋼線材の両天秤の下部および短長の形状記憶合金線の上端部からスリーブが外れないようにし、ステンレス鋼線材の両天秤の下部をスリーブの下端部に引掛け、形状記憶合金線の上端部を倒立Ｕ字状に曲げてスリーブ内に収容するものである。このため、特許文献１の魚釣り仕掛けは、ステンレス鋼線材の両天秤の下部の中心線と短長の形状記憶合金線の上端部の中心線とが一致もしくはほぼ一致していない。これにより、特許文献１の魚釣り仕掛けは、ステンレス鋼線材の両天秤の下部と短長の形状記憶合金線の上端部とが同一線上に位置しないので、ステンレス鋼線材の両天秤と短長の形状記憶合金線との間の力の伝達が不均等となる。この結果、道糸と仕掛けとの間の力の伝達が不均等による釣果への影響が懸念される。
【００１０】
本発明が解決しようとする課題は、剛性線材の一端と弾性線材の一端とが同一線上に位置し、剛性線材と弾性線材との間の力の伝達が均等となる釣用天秤を提供することにある。
【課題を解決するための手段】
【００１１】
本発明の釣用天秤は、剛性線材と、弾性線材と、剛性線材の一端の中心線と弾性線材の一端の中心線とが一致している状態で、剛性線材の一端と弾性線材の一端とを接続する接続部材と、を備える、ことを特徴とする。
【００１２】
本発明の釣用天秤は、剛性線材の一端および弾性線材の一端には、係合凸部がそれぞれ設けられていて、接続部材の内部には、剛性線材の係合凸部および弾性線材の係合凸部がそれぞれ収納されている収納中空部が、設けられていて、接続部材の両端には、剛性線材、弾性線材がそれぞれ挿通されている挿通孔が、１本の直線もしくはその（１本の直線）近傍（「同一線」と同義語であり、以下、「同一線」と称する）上に設けられていて、収納中空部と２個の挿通孔との間には、剛性線材の係合凸部、弾性線材の係合凸部がそれぞれ係合する係合段差が設けられている、ことが好ましい。
【００１３】
本発明の釣用天秤は、接続部材が、剛性線材側の第１接続部材と弾性線材側の第２接続部材とに２分割されていて、第１接続部材、第２接続部材には、収納中空部、挿通孔および係合段差がそれぞれ設けられていて、第１接続部材、第２接続部材には、第１接続部材、第２接続部材に剛性線材、弾性線材をそれぞれ装備した状態で、第１接続部材と第２接続部材とを相互に結合する結合部が、それぞれ設けられている、ことが好ましい。
【００１４】
本発明の釣用天秤は、剛性線材および弾性線材が、断面円形もしくは円形の線材からなり、剛性線材の直径が、弾性線材の直径よりも大きく、第１接続部材の結合部が、断面円形もしくは円形の収納中空部の壁面により形成されている凹部から構成されていて、第２接続部材の結合部が、断面円形もしくは円形の収納中空部を包囲する部分により形成されていて、凹部中に嵌入する凸部から構成されている、ことが好ましい。
【００１５】
本発明の釣用天秤は、凹部の内側壁面には、雌ねじが設けられていて、凸部の外側壁面には、雌ねじにねじ込まれる雄ねじが設けられている、ことが好ましい。
【００１６】
本発明の釣用天秤は、剛性線材が、釣用天秤のグリップ部分とアーム部分とを形成し、弾性線材が、釣用天秤のアーム部分を形成し、剛性線材の釣用天秤のアーム部分における線長と弾性線材の釣用天秤のアーム部分における線長との比が、１：２である、ことが好ましい。
【発明の効果】
【００１７】
本発明は、剛性線材の一端と弾性線材の一端とが同一線上に位置し、剛性線材と弾性線材との間の力の伝達が均等となる釣用天秤を提供することができる。
【図面の簡単な説明】
【００１８】
【図１】本発明の実施形態１に係る釣用天秤を示す使用状態の説明図である。
【図２】剛性線材の一端の部分、弾性線材の一端の部分および接続部材を拡大して示す説明図である。
【図３】第１接続部材を拡大して示す説明図であって、（Ａ）は第１接続部材の左側面図（図３（Ｂ）におけるＡ矢視図）であり、（Ｂ）は第１接続部材の正面図であり、（Ｃ）は第１接続部材の右側面図（図３（Ｂ）におけるＣ矢視図）である。
【図４】第２接続部材を拡大して示す説明図であって、（Ａ）は第２接続部材の左側面図（図３（Ｂ）におけるＡ矢視図）であり、（Ｂ）は第２接続部材の正面図であり、（Ｃ）は第２接続部材の右側面図（図３（Ｂ）におけるＣ矢視図）である。
【図５】剛性線材の一端の部分、弾性線材の一端の部分および接続部材の分解状態を拡大して示す一部断面説明図である。
【図６】剛性線材の一端の部分および弾性線材の一端の部分を接続部材に組み付けた状態を拡大して示す一部断面説明図である。
【図７】剛性線材の一端の部分、弾性線材の一端の部分および接続部材の組立状態を拡大して示す一部断面説明図である。
【図８】本発明の実施形態２に係る釣用天秤を示す説明図である。
【発明を実施するための形態】
【００１９】
以下、本発明に係る釣用天秤の実施形態（実施例）の２例について、図面を参照しながら詳細に説明する。
【００２０】
（実施形態１の構成の説明）
図１〜図７は、本発明に係る釣用天秤の実施形態１を示す。以下、この実施形態１に係る釣用天秤の構成について説明する。
【００２１】
（釣用天秤１００の説明）
この実施形態１に係る釣用天秤１００は、図１に示すように、剛性線材１と、弾性線材２と、接続部材３１、３２と、を備える。この実施形態１に係る釣用天秤１００は、剛性線材１、弾性線材２および接続部材３１、３２により、グリップ部分１０１と、アーム部分１０２と、が構成されている。この例のグリップ部分１０１は、ほぼ弓形状をなす。この例のアーム部分１０２は、グリップ部分１０１側の部分がほぼ弓形状をなし、その他の部分が直線形状をなす。
【００２２】
グリップ部分１０１とアーム部分１０２との接続部分には、錘１０３が固定的もしくは着脱可能に設けられている。グリップ部分１０１の先端には、撚り戻し（猿管（サルカン）、スイベル）１０４が設けられている。撚り戻し１０４には、道糸１０５が連結されている。アーム部分１０２の先端には、仕掛けが設けられている。仕掛けは、この例では、撚り戻し１０６と、スナップ１０７と、ハリス１０８と、釣り針１０９と、からなる。
【００２３】
（剛性線材１の説明）
剛性線材１は、図１、図２、図５〜図７に示すように、断面円形もしくはほぼ円形の線材からなり、この例では、ステンレス鋼線材からなる。剛性線材１の直径φ１は、弾性線材２の直径φ２よりも大きい。剛性線材１の一端の部分は、直線形状をなす。剛性線材１の一端には、係合凸部１０がプレス加工により潰されて設けられている。
【００２４】
剛性線材１の他の部分は、ほぼ弓形状をなす。剛性線材１の他の部分は、ほぼ中間部分（一端までの距離と他端までの距離との比が約２：１である中間部分）において、折り返されている。剛性線材１の他端には、錘１０３が固定的もしくは着脱可能に設けられている。剛性線材１のほぼ中間部分の折り返しの部分は、ほぼ円環形状をなす。剛性線材１のほぼ中間部分の折り返しの部分には、撚り戻し１０４が設けられている。
【００２５】
剛性線材１は、ほぼ中間部分の折り返しの部分から他端が位置する部分までが２本であり、他端が位置する部分から一端までが１本である。剛性線材１の２本の部分は、グリップ部分１０１を形成し、剛性線材１の１本の部分は、アーム部分１０２を形成する。剛性線材１の２本の部分には、樹脂製のチューブ１１が外側から密着して嵌合されている。これにより、剛性線材１の２本の部分は、樹脂製のチューブ（収縮チューブ）１１により覆われている。
【００２６】
（弾性線材２の説明）
弾性線材２は、図１、図２、図５〜図７に示すように、断面円形もしくはほぼ円形の線材からなり、この例では、形状記憶合金線材からなる。この形状記憶合金線材は、釣用天秤１００が使用される温度の下で擬弾性効果乃至超弾性効果を発現するものが用いられている。この例では、Ｎｉ−Ｔｉ合金、Ａｇ−Ｃｄ合金、Ｃｕ−Ａｌ−Ｎｉ合金、Ｃｕ−Ｚｎ／Ｓｎ合金、Ｆｅ−Ｎｉ−Ｃ合金などが用いられている。そして、この形状記憶合金線材は、変態温度が釣用天秤１００の使用温度以下、好ましくは使用温度よりも若干低い温度に設定されている。通常は、海や川の水温以下の温度に設定されている。
【００２７】
弾性線材２の直径φ２は、剛性線材１の直径φ１よりも小さい。弾性線材２は、直線形状をなし、アーム部分１０２を形成する。弾性線材２の一端には、係合凸部２０がプレス加工により潰されて設けられている。弾性線材２の他端は、折り返されていて、止具２１により固定されている。弾性線材２の他端には、仕掛けが設けられている。
【００２８】
（接続部材３１、３２の説明）
接続部材３１、３２は、図１〜図７に示すように、中空状のほぼ円筒形状をなし、この例では、金属部材からなる。接続部材３１、３２の直径は、剛性線材１の直径φ１および弾性線材２の直径φ２よりも大きい。
【００２９】
接続部材３１、３２の内部には、剛性線材１の係合凸部１０および弾性線材２の係合凸部２０が収納されている断面円形もしくはほぼ円形の収納中空部３１０、３２０が、設けられている。接続部材３１、３２の両端には、剛性線材１、弾性線材２がそれぞれ挿通されている断面円形もしくはほぼ円形の挿通孔３１１、３２１が、同一線Ｌ上に設けられている。収納中空部３１０、３２０と２個の挿通孔３１１、３２１との間には、剛性線材１の係合凸部１０、弾性線材２の係合凸部２０がそれぞれ係合する係合段差３１２、３２２が設けられている。
【００３０】
接続部材は、剛性線材１側の第１接続部材３１と弾性線材２側の第２接続部材３２とに２分割されている。第１接続部材３１、第２接続部材３２には、収納中空部３１０、３２０、挿通孔３１１、３２１および係合段差３１２、３２２がそれぞれ設けられている。第１接続部材３１の収納中空部３１０の内径は、挿通孔３１１の内径、剛性線材１の直径φ１および係合凸部１０の外形よりも大きい。第１接続部材３１の挿通孔３１１の内径は、剛性線材１の直径φ１と同等かもしくは剛性線材１の直径φ１よりも若干大きく、かつ、係合凸部１０の外形よりも小さい。第２接続部材３２の収納中空部３２０の内径は、挿通孔３２１の内径、弾性線材２の直径φ２および係合凸部２０の外形よりも大きい。第２接続部材３２の挿通孔３２１の内径は、弾性線材２の直径φ２と同等かもしくは弾性線材２の直径φ２よりも若干大きく、かつ、係合凸部２０の外形よりも小さい。これにより、接続部材３１、３２の直径は、剛性線材１の係合凸部１０および弾性線材２の係合凸部２０の外形よりも若干大きい。
【００３１】
第１接続部材３１、第２接続部材３２には、第１接続部材３１、第２接続部材３２に剛性線材１、弾性線材２をそれぞれ装備した状態で、第１接続部材３１と第２接続部材３２とを相互に結合する結合部３１３、３２３が、それぞれ設けられている。第１接続部材３１の結合部３１３は、収納中空部３１０の壁面（内側壁面）により形成されている凹部から構成されている。第２接続部材３２の結合部３２３は、収納中空部３２０を包囲する部分により形成されていて、第１接続部材３１の凹部中に嵌入する凸部から構成されている。第１接続部材３１の凹部の内側壁面には、雌ねじ３１４が設けられている。第２接続部材３２の凸部の外側壁面には、雌ねじ３１４にねじ込まれる雄ねじ３２４が設けられている。
【００３２】
（組立工程の説明）
この実施形態１に係る釣用天秤は、以上のごとき構成からなり、以下、剛性線材１、弾性線材２、第１接続部材３１および第２接続部材３２の組立工程について説明する。
【００３３】
組立前においては、剛性線材１がほぼ直線形状をなしている。すなわち、剛性線材１の他の部分がほぼ弓形状をなしておらず、剛性線材１のほぼ中間部分が折り返されておらず、剛性線材１の他端には錘１０３が設けられていない。また、弾性線材２の他端が折り返されておらず、かつ、止具２１により固定されておらず、直線形状をなす。
【００３４】
まず、図５に示すように、剛性線材１の他端を第１接続部材３１の収納中空部３１０および挿通孔３１１中に通す。また、弾性線材２の他端を第２接続部材３２の収納中空部３２０および挿通孔３２１中に通す。次に、図６に示すように、剛性線材１の係合凸部１０を第１接続部材３１の係合段差３１２に係合させる。また、弾性線材２の係合凸部２０を第２接続部材３２の係合段差３２２に係合させる。それから、図７に示すように、第１接続部材３１の雌ねじ３１４に第２接続部材３２の雄ねじ３２４をねじ込む。
【００３５】
以上により、剛性線材１、弾性線材２、第１接続部材３１および第２接続部材３２の組立が完了する。この時、剛性線材１の一端の中心線Ｏ１と、弾性線材２の中心線Ｏ２とは、同一線Ｌ上において、一致もしくはほぼ一致する。また、剛性線材１の釣用天秤１００のアーム部分１０２における線長と弾性線材２の釣用天秤１００のアーム部分１０２における線長との比は、概ね１：２である。
【００３６】
組立後においては、剛性線材１の他の部分をほぼ弓形状に湾曲させ、剛性線材１のほぼ中間部分を折り返し、剛性線材１の他端に錘１０３を設ける。また、弾性線材２の他端を折り返して、止具２１により固定する。
【００３７】
（実施形態１の効果の説明）
この実施形態１に係る釣用天秤１００は、以上のごとき構成からなり、以下、その効果について説明する。
【００３８】
この実施形態１に係る釣用天秤１００は、剛性線材１の一端の中心線Ｏ１と弾性線材２の一端の中心線Ｏ２とが一致もしくはほぼ一致している状態で、剛性線材１の一端と弾性線材２の一端とを接続部材３１、３２により接続するものである。この結果、この実施形態１に係る釣用天秤１００は、剛性線材１の一端の中心線Ｏ１と弾性線材２の一端の中心線Ｏ２とが一致もしくはほぼ一致して同一線Ｌ上に位置するので、剛性線材１と弾性線材２との間の力の伝達が均等となる。これにより、道糸１０５と仕掛けのハリス１０８との間の力の伝達が不均等による釣果への影響が懸念されることが無い。
【００３９】
この実施形態１に係る釣用天秤１００は、剛性線材１の一端および弾性線材２の一端をプレス加工により潰して係合凸部１０、２０を設け、その係合凸部１０、２０を接続部材３１、３２にそれぞれ係合させて、剛性線材１の一端と弾性線材２の一端とを接続部材３１、３２により接続するものである。この結果、この実施形態１に係る釣用天秤１００は、ステンレス鋼線材の両天秤の下部と短長の形状記憶合金線の上端部とにスリーブをそれぞれ嵌めて覆い、これらを圧縮または接着し、ステンレス鋼線材の両天秤の下部をスリーブの下端部に引掛け、形状記憶合金線の上端部を倒立Ｕ字状に曲げてスリーブ内に収容する加工が面倒な特許文献１の魚釣り仕掛けと比較して、加工が容易である。
【００４０】
この実施形態１に係る釣用天秤１００は、接続部材３１、３２の収納中空部３１０、３２０中に剛性線材１の係合凸部１０および弾性線材２の係合凸部２０をそれぞれ収納するものである。この結果、この実施形態１に係る釣用天秤１００は、接続部材３１、３２の直径を係合凸部１０、２０の外形よりも若干大きくするだけであるから、ステンレス鋼線材の両天秤の下部と短長の形状記憶合金線の上端部とスリーブとを圧縮または接着する部分の外形が大きくなる傾向にある特許文献１の魚釣り仕掛けと比較して、接続部材３１、３２を小さくすることができる。
【００４１】
この実施形態１に係る釣用天秤１００は、剛性線材１の係合凸部１０および弾性線材２の係合凸部２０が接続部材３１、３２の収納中空部３１０、３２０中に収納されていて外側に露出していない。この結果、この実施形態１に係る釣用天秤１００は、テンレス鋼線材の両天秤の下部を折り曲げ部がスリーブの外側に露出する特許文献１の魚釣り仕掛けと比較して、道糸１０５やハリス１０８などの糸が絡み難くなる。
【００４２】
この実施形態１に係る釣用天秤１００は、接続部材３１、３２の両端に、剛性線材１、弾性線材２がそれぞれ挿通されている挿通孔３１１、３２１を、同一線Ｌ上に設けるものであるから、剛性線材１の一端と弾性線材２の一端とを同一線Ｌ上に確実に位置させることができる。
【００４３】
この実施形態１に係る釣用天秤１００は、接続部材３１、３２の収納中空部３１０、３２０と２個の挿通孔３１１、３２１との間に、剛性線材１の係合凸部１０、弾性線材２の係合凸部２０がそれぞれ係合する係合段差３１２、３２２を、設けるものである。この結果、この実施形態１に係る釣用天秤１００は、テンレス鋼線材の両天秤の下部を折り曲げてスリーブの下端部に引掛け、形状記憶合金線の上端部を倒立Ｕ字状に曲げてスリーブ内に収容し、テンレス鋼線材および形状記憶合金線のスリーブに対する引っ張り強度が弱く、テンレス鋼線材および形状記憶合金線がスリーブから抜け易い特許文献１の魚釣り仕掛けと比較して、剛性線材１および弾性線材２の接続部材３１、３２に対する引っ張り強度が強く、剛性線材１および弾性線材２が接続部材３１、３２から抜け難い。
【００４４】
この実施形態１に係る釣用天秤１００は、剛性線材１の係合凸部１０、弾性線材２の係合凸部２０を接続部材３１、３２の係合段差３１２、３２２にそれぞれ係合させるものである。この結果、この実施形態１に係る釣用天秤１００は、スリーブと圧縮するステンレス鋼線材の両天秤の下部と短長の形状記憶合金線の上端部とに傷が付き易い特許文献１の魚釣り仕掛けと比較して、剛性線材１および弾性線材２には傷が付かず、特に細い弾性線材２が傷による折れなどがない。
【００４５】
この実施形態１に係る釣用天秤１００は、接続部材が、剛性線材１側の第１接続部材３１と弾性線材２側の第２接続部材３２とに２分割されていて、第１接続部材３１、第２接続部材３２には、収納中空部３１０、３２０、挿通孔３１１、３２１および係合段差３１２、３２２がそれぞれ設けられていて、第１接続部材３１、第２接続部材３２には、第１接続部材３１、第２接続部材３２に剛性線材１、弾性線材２をそれぞれ装備した状態で、第１接続部材３１と第２接続部材３２とを相互に結合する結合部３１３、３２３が、それぞれ設けられている。この結果、この実施形態１に係る釣用天秤１００は、剛性線材１、弾性線材２、第１接続部材３１および第２接続部材３２の組立が容易である。
【００４６】
この実施形態１に係る釣用天秤１００は、剛性線材１および弾性線材２が、断面円形もしくはほぼ円形の線材からなり、剛性線材１の直径φ１が、弾性線材２の直径φ２よりも大きい。この結果、この実施形態１に係る釣用天秤１００は、剛性線材１の係合凸部１０の外形が弾性線材２の係合凸部２０の外形よりも大きい。また、この実施形態１に係る釣用天秤１００は、第１接続部材３１の結合部３１３が、断面円形もしくはほぼ円形の収納中空部３１０の壁面（内側壁面）により形成されている凹部から構成されていて、第２接続部材３２の結合部３２３が、断面円形もしくはほぼ円形の収納中空部３２０を包囲する部分により形成されていて、凹部中に嵌入する凸部から構成されている。この結果、この実施形態１に係る釣用天秤１００は、第１接続部材３１の凹部の結合部３１３すなわち収納中空部３１０の内径が、第２接続部材３２の凸部の結合部３２３により包囲されている収納中空部３２０の内径よりも大きい。これにより、この実施形態１に係る釣用天秤１００は、外形が弾性線材２の係合凸部２０の外形よりも大きい剛性線材１の係合凸部１０を、内径が第２接続部材３２の収納中空部３２０の内径よりも大きい第１接続部材３１の収納中空部３１０中に収納することができ、また、外形が剛性線材１の係合凸部１０の外形よりも小さい弾性線材２の係合凸部２０を、内径が第１接続部材３１の収納中空部３１０の内径よりも小さい第２接続部材３２の収納中空部３２０中に収納することができる。以上から、この実施形態１に係る釣用天秤１００は、特許文献１の魚釣り仕掛けと比較して、接続部材３１、３２を確実に小さくすることができる。
【００４７】
この実施形態１に係る釣用天秤１００は、凹部の結合部３１３すなわち収納中空部３１０内側壁面には、雌ねじ３１４が設けられていて、凸部の結合部３２３の外側壁面には、雌ねじ３１４にねじ込まれる雄ねじ３２４が設けられている。この結果、この実施形態１に係る釣用天秤１００は、剛性線材１、弾性線材２、第１接続部材３１および第２接続部材３２の組立がさらに容易となる。
【００４８】
この実施形態１に係る釣用天秤１００は、剛性線材１が、釣用天秤１００のグリップ部分１０１とアーム部分１０２とを形成し、弾性線材２が、釣用天秤１００のアーム部分１０２を形成し、剛性線材１の釣用天秤１００のアーム部分１０２における線長と弾性線材２の釣用天秤１００のアーム部分１０２における線長との比が、約１：２である。この結果、この実施形態１に係る釣用天秤１００は、ステンレス鋼線材のデメリットと形状記憶合金線のデメリットとを解消して、ステンレス鋼線材のメリットと形状記憶合金線のメリットとを達成することができる。すなわち、釣用天秤１００のグリップ部分１０１とアーム部分１０２の約３分の１とを剛性線材１で形成するので、強い反発力（クッション性）により、釣り竿が持ち易く、魚が掛かった釣り針から外れ難く、仕掛けをたなまで落とす際に道糸と仕掛けとの間を適度な距離に保つことができて道糸と仕掛けとが絡み難くなる。また、釣用天秤１００のアーム部分１０２の約３分の２（接続部材３１、３２と仕掛けとの間）を細い線材の弾性線材２で形成するので、強い復元力（高い弾性、しなやかさ）により、釣り糸ないし釣り針が船の揺れによっていろいろな方向に移動し難くなり、釣り針に着けたエサを跳ねさせず、魚の食いが良く、しかも、弾性線材２が強い力で曲がってもくせが付かず元の状態に戻る。
【００４９】
（実施形態２の説明）
図８は、この発明に係る釣用天秤の実施形態２を示す。以下、この実施形態２に係る釣用天秤について説明する。図中、図１〜図７と同符号は、同一のものを示す。
【００５０】
この実施形態２に係る釣用天秤１００Ａは、グリップ部分１０１Ａとアーム部分１０２Ａとが直角もしくはほぼ直角に折り曲げてなる。剛性線材１のグリップ部分１０１Ａとアーム部分１０２Ａとの間の部分１２が湾曲屈折部分となっている。この湾曲屈折部分１２には、撚り戻し１０６が設けられていて、撚り戻し１０６には、スナップ１０７が設けられている。スナップ１０７には、図示しない錘が設けられる。剛性線材１の釣用天秤１００Ａのアーム部分１０２Ａにおける線長と弾性線材２の釣用天秤１００Ａのアーム部分１０２Ａにおける線長との比は、概ね１：２である。
【００５１】
この実施形態２に係る釣用天秤１００Ａは、以上のごとき構成からなるので、前記の実施形態１に係る釣用天秤１００の効果とほぼ同等の効果を達成することができる。
【００５２】
（実施形態１、２以外の例の説明）
なお、前記の実施形態１、２においては、第１接続部材３１の結合部３１３の雌ねじ３１４と第２接続部材３２の結合部３２３の雄ねじ３２４とのねじ込みにより、第１接続部材３１と第２接続部材３２とを結合するものである。しかしながら、この発明においては、第１接続部材３１と第２接続部材３２との結合を、ねじ込み以外の手段、たとえば、嵌合や接着や溶接や溶着などであっても良い。
【００５３】
また、前記の実施形態１、２においては、接続部材３１、３２が金属部材からなるものである。しかしながら、この発明においては、接続部材３１、３２が金属部材以外の部材、たとえば、樹脂部材からなるものであっても良い。
【００５４】
さらに、前記の実施形態１においては、剛性線材１の釣用天秤１００のアーム部分１０２における線長と弾性線材２の釣用天秤１００のアーム部分１０２における線長との比が、概ね１：２であり、前記の実施形態２においては、剛性線材１の釣用天秤１００Ａのアーム部分１０２Ａにおける線長と弾性線材２の釣用天秤１００Ａのアーム部分１０２Ａにおける線長との比が、概ね１：２である。しかしながら、この発明においては、剛性線材１の釣用天秤１００のアーム部分１０２における線長と弾性線材２の釣用天秤１００のアーム部分１０２における線長との比、および、剛性線材１の釣用天秤１００Ａのアーム部分１０２Ａにおける線長と弾性線材２の釣用天秤１００Ａのアーム部分１０２Ａにおける線長との比が、概ね１：２以外であっても良い。
【００５５】
以上、この発明の実施形態１、２について説明したが、この発明は、上記した実施形態１、２に限定されることはなく、これ以外にも種々変形可能である。
【符号の説明】
【００５６】
１  剛性線材
１０  係合凸部
１１  樹脂製のチューブ（収縮チューブ）
１２  湾曲屈折部分
２  弾性線材
２０  係合凸部
３１  第１接続部材
３２  第２接続部材
３１０、３２０  収納中空部
３１１、３２１  挿通孔
３１２、３２２  係合段差
３１３、３２３  結合部
３１４  雌ねじ
３２４  雄ねじ
１００、１００Ａ  釣用天秤
１０１、１０１Ａ  グリップ部分
１０２、１０２Ａ  アーム部分
１０３  錘
１０４  撚り戻し（猿管（サルカン）、スイベル）
１０５  道糸
１０６  撚り戻し
１０７  スナップ
１０８  ハリス
１０９  釣針
Ｌ  同一線（１本の直線もしくはその近傍）
Ｏ１、Ｏ２  中心線
φ１、φ２  直径
【図１】
2018174877.tif 000003
【図２】
2018174877.tif 000004
【図３】
2018174877.tif 000005
【図４】
2018174877.tif 000006
【図５】
2018174877.tif 000007
【図６】
2018174877.tif 000008
【図７】
2018174877.tif 000009
【図８】
2018174877.tif 000010
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
断面円形のステンレス鋼線材からなる剛性線材と、
断面円形の形状記憶合金線材からなる弾性線材と、
金属部材からなり、前記剛性線材の一端の中心線と前記弾性線材の一端の中心線とが一致している状態で、前記剛性線材の一端と前記弾性線材の一端とを接続する接続部材と、
を備え、
前記剛性線材の一端および前記弾性線材の一端には、係合凸部がそれぞれプレス加工により潰されて設けられていて、
前記接続部材の内部には、前記剛性線材の前記係合凸部および前記弾性線材の前記係合凸部がそれぞれ収納されている収納中空部が、設けられていて、
前記接続部材の両端には、前記剛性線材、前記弾性線材がそれぞれ挿通されている断面円形の挿通孔が、１本の直線もしくはその近傍上に設けられていて、
前記収納中空部と２個の前記挿通孔との間には、前記剛性線材の前記係合凸部、前記弾性線材の前記係合凸部がそれぞれ係合する係合段差が設けられていて、
前記接続部材は、前記剛性線材側の第１接続部材と前記弾性線材側の第２接続部材とに２分割されていて、
前記第１接続部材、前記第２接続部材には、前記収納中空部、前記挿通孔および前記係合段差がそれぞれ設けられていて、
前記第１接続部材、前記第２接続部材には、前記第１接続部材、前記第２接続部材に前記剛性線材、前記弾性線材をそれぞれ装備した状態で、前記第１接続部材と前記第２接続部材とを相互に結合する結合部が、それぞれ設けられていて、
前記第１接続部材の前記結合部は、断面円形の前記収納中空部の壁面により形成されている凹部から構成されていて、
前記第２接続部材の前記結合部は、断面円形の前記収納中空部を包囲する部分により形成されていて、前記凹部中に嵌入する凸部から構成されていて、
前記剛性線材の直径は、前記弾性線材の直径よりも大きく、
前記第１接続部材の前記収納中空部の内径は、前記剛性線材の前記係合凸部の外形よりも大きく、
前記第１接続部材の前記挿通孔の内径は、前記剛性線材の直径よりも大きく、かつ、前記剛性線材の前記係合凸部の外形よりも小さく、
前記第２接続部材の前記収納中空部の内径は、前記弾性線材の前記係合凸部の外形よりも大きく、
前記第２接続部材の前記挿通孔の内径は、前記弾性線材の直径よりも大きく、かつ、前記弾性線材の前記係合凸部の外形よりも小さい、
こと特徴とする釣用天秤。
【請求項２】
前記凹部の内側壁面には、雌ねじが設けられていて、
前記凸部の外側壁面には、前記雌ねじにねじ込まれる雄ねじが設けられている、
ことを特徴とする請求項１に記載の釣用天秤。
【請求項３】
前記剛性線材は、釣用天秤のグリップ部分とアーム部分とを形成し、
前記弾性線材は、前記釣用天秤の前記アーム部分を形成し、
前記剛性線材の前記釣用天秤の前記アーム部分における線長と前記弾性線材の前記釣用天秤の前記アーム部分における線長との比は、１：２である、
ことを特徴とする請求項１または２に記載の釣用天秤。
【手続補正２】
【補正対象書類名】明細書
【補正対象項目名】００１１
【補正方法】変更
【補正の内容】
【００１１】
本発明の釣用天秤は、断面円形のステンレス鋼線材からなる剛性線材と、断面円形の形状記憶合金線材からなる弾性線材と、金属部材からなり、剛性線材の一端の中心線と弾性線材の一端の中心線とが一致している状態で、剛性線材の一端と弾性線材の一端とを接続する接続部材と、を備え、剛性線材の一端および弾性線材の一端には、係合凸部がそれぞれプレス加工により潰されて設けられていて、接続部材の内部には、剛性線材の係合凸部および弾性線材の係合凸部がそれぞれ収納されている収納中空部が、設けられていて、接続部材の両端には、剛性線材、弾性線材がそれぞれ挿通されている断面円形の挿通孔が、１本の直線もしくはその近傍上に設けられていて、収納中空部と２個の挿通孔との間には、剛性線材の係合凸部、弾性線材の係合凸部がそれぞれ係合する係合段差が設けられていて、接続部材が、剛性線材側の第１接続部材と弾性線材側の第２接続部材とに２分割されていて、第１接続部材、第２接続部材には、収納中空部、挿通孔および係合段差がそれぞれ設けられていて、第１接続部材、第２接続部材には、第１接続部材、第２接続部材に剛性線材、弾性線材をそれぞれ装備した状態で、第１接続部材と第２接続部材とを相互に結合する結合部が、それぞれ設けられていて、第１接続部材の結合部が、断面円形の収納中空部の壁面により形成されている凹部から構成されていて、第２接続部材の結合部が、断面円形の収納中空部を包囲する部分により形成されていて、凹部中に嵌入する凸部から構成されていて、剛性線材の直径が、弾性線材の直径よりも大きく、第１接続部材の収納中空部の内径が、剛性線材の係合凸部の外形よりも大きく、第１接続部材の挿通孔の内径が、剛性線材の直径よりも大きく、かつ、剛性線材の係合凸部の外形よりも小さく、第２接続部材の収納中空部の内径が、弾性線材の係合凸部の外形よりも大きく、第２接続部材の挿通孔の内径が、弾性線材の直径よりも大きく、かつ、弾性線材の係合凸部の外形よりも小さい、ことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】